(57)【要約】      （修正有）【課題】構造が簡単で安価、広い設置面積も必要とせず、即座に測定することができる身体背面・側面形状測定定規を提供する。【解決手段】ベースプレート１０と臀部位置決めプレート２０と肩部位置決めプレート３０と頭部測定プレート４０と深度測定器５０とを備え、ベースプレートは、直線状部１１、垂下式指標１２、臀部−肩甲骨部傾斜角測定用目盛り１３が表示されてなり、臀部位置決めプレート及び肩部位置決めプレートは、移動可能に取り付けられ、頭部測定プレートは、ベースプレートの直線状部の上部から上方に傾動可能に取り付けられ、下端に固定式指標４３が設けられると共に距離測定目盛りが設けられ、固定式指標４３により指し示される頭部測定用目盛り４４がベースプレートに表示されてなり、深度測定器５０は、ベースプレートの直線状部に対して移動可能に取り付けられ、固定部材５１と固定部材５１に進退可能に挿通された物差し５３とからなる。【選択図】図２
0003109050.tif 000002
【実用新案登録請求の範囲】
【請求項１】
ベースプレートと臀部位置決めプレートと肩部位置決めプレートと頭部測定プレートとを備え、
ベースプレートは、縦方向の直線状部を有し、適宜位置に垂下式指標が設けられ、該垂下式指標の下方に垂下式指標により指し示される臀部−肩甲骨部傾斜角測定用目盛りが表示されてなり、
臀部位置決めプレート及び肩部位置決めプレートは、ベースプレートの直線状部に対して移動可能に取り付けられ、
頭部測定プレートは、ベースプレートの直線状部の上部から上方に傾動可能に取り付けられ、下端に固定式指標が設けられ、該固定式指標により指し示される頭部測定用目盛りがベースプレートに表示されてなる、
ことを特徴とする身体背面・側面形状測定定規。
【請求項２】
ベースプレートに、水平方向に進退する深度測定器を設けたことを特徴とする請求項１に記載の身体背面・側面形状測定定規。
【請求項３】
頭部測定プレートに、ベースプレートの交差点を基点とする距離測定目盛りを設けてことを特徴とする請求項１又は２に記載の身体背面・側面形状測定定規。
【請求項４】
請求項１〜３のいずれか１項にに記載の身体背面・側面形状測定定規により、被測定者の身体の背面体型を測定し、その測定結果に基づいて被測定者の身体の背面体型に適合する寝具を選択して販売することを特徴とする適合寝具の販売方法。
【考案の詳細な説明】
【技術分野】
【０００１】
本考案は、身体の背面における臀部頂点と肩甲骨部頂点とがなす傾斜角や、首の付け根（第７頸椎）と後頭部頂点とがなす傾斜角、臀部頂点と肩甲骨部頂点とを結んだ直線から腰部の深さ、肩口から首の深さ、及び、肩口から側頭部までの距離を測定する身体背面・側面形状測定定規に関し、特に身体の体型に適合した適切な敷き布団やベッドマット等の敷き寝具及び枕を選択するために使用する身体背面・側面形状測定定規に関する。
【背景技術】
【０００２】
従来より、身体の体型に適合した適切な敷き布団やベッドマット等の敷き寝具の開発が行われており、その一方で身体の体型を測定する種々の装置が開発されている。このような装置として、コンピュータなどを駆使し、自動的に測定できるようにしたものが研究開発され、実用化に至っている。
【考案の開示】
【考案が解決しようとする課題】
【０００３】
しかしながら、寝具の販売を行っている業者には、百貨店などの設備が行き届き、専門員を配置している寝具売り場や大量に商品を売りさばく寝具専門の大型量販店のように相当の費用を投資できる業者ばかりでなく、町中の小さな店舗やスーパーなどの寝具売り場などで販売されている方がむしろ一般的である。このような小規模販売店においては、設備に高額の費用を投資することが容易でないため、コンピュータなどを使用した自動測定装置などは簡単には到底導入できず、また、そのような装置を操作する専門員を配備しておくこともできないため、ほとんどの場合、店主自らが装置の操作を行わなければならず、そのような理由からも容易に導入できない事情がある。また、寝具を購入する消費者も、寝具の購入の際に、身体の形状を測定するということに慣れておらず、しかも、コンピュータを使用して自動的に測定するとなれば不安感もあり、簡単には受け入れられない状況がある。
【０００４】
そこで、本考案者は、鋭意研究を重ね、構造が簡単で安価に提供でき、かつ、広い設置面積も必要とせず、即座に身体の背面及び後頭部の傾斜角や腰部の深さを測定することができる身体背面・側面形状測定定規を開発した。
【課題を解決するための手段】
【０００５】
本考案に係る身体背面・側面形状測定定規は、ベースプレートと臀部位置決めプレートと肩部位置決めプレートと頭部測定プレートとを備え、ベースプレートは、縦方向の直線状部を有し、適宜位置に垂下式指標が設けられ、該垂下式指標の下方に垂下式指標により指し示される臀部−肩甲骨部傾斜角測定用目盛りが表示されてなり、臀部位置決めプレート及び肩部位置決めプレートは、ベースプレートの直線状部に対して移動可能に取り付けられ、頭部測定プレートは、ベースプレートの直線状部の上部から上方に傾動可能に取り付けられ、下端に固定式指標が設けられ、該固定式指標により指し示される頭部測定用目盛りがベースプレートに表示されてなることを特徴とするものである。
【０００６】
上記のように構成したので、臀部位置決めプレートを被測定者の臀部にあてがい、肩部位置決めプレートを被測定者の肩甲骨部にあてがって、ベースプレートに設けた垂下式指標により指し示される臀部−肩甲骨部傾斜角測定用目盛りを読み取れば、身体の背面における臀部頂点と肩甲骨部頂点とがなす傾斜角が測定できる。また、その状態において、頭部測定プレートを被測定者の後頭部に達するように傾斜させて、頭部測定プレートに設けた固定式指標により指し示される頭部測定用目盛りを読み取れば、首の付け根（第７頸椎）と後頭部頂点とがなす傾斜角が測定できる。
【０００７】
また、上記構成の身体背面・側面形状測定定規におけるベースプレートに、水平方向に進退する深度測定器を設けた構成としてもよい。
【０００８】
このように構成した場合には、臀部頂点と肩甲骨部頂点とを結んだ直線から腰部の深さを測定することができる。
【０００９】
さらに、頭部測定プレートに、ベースプレートの交差点を基点とする距離測定目盛りを設けた構成としてもよい。
【００１０】
このように構成した場合には、ベースプレートの肩部位置決めプレートを被測定者の肩口にあてがい、頭部測定プレートを被測定者の首部の位置で直角に折り曲げて、距離測定目盛りを読むと、被測定者の肩口から首部の深さが測定できる。また、ベースプレートの肩部位置決めプレートを被測定者の肩口にあてがい、頭部測定プレートを被測定者の側頭部の位置で直角に折り曲げて、距離測定目盛りを読むと、被測定者の肩口から側頭部までの距離が測定できる。
【００１１】
また、本考案に係る適合寝具の販売方法は、上記した身体背面・側面形状測定定規により、被測定者の身体の背面や側面の体型を測定し、その測定結果に基づいて被測定者の身体の背面や側面の体型に適合する寝具を選択して販売することを特徴とするものである。
【考案の効果】
【００１２】
以上のように、本考案に係る身体背面・側面形状測定定規は、構造が極めて簡単であって、安価に提供できるものであり、また、設置スペースが不要で、はじめて利用する被測定者も被測定者の背面及び後頭部の傾斜角、腰部の深さ、首部の深さ及び肩口から側頭部までの距離が測定できる理屈が容易に理解できるので安心して使用できるものである。そのため、小規模販売店においても十分に活用できるので、広く一般に普及させやすいものである。したがって、寝具を購入する消費者に対して、寝具の購入の際に、衣料品の購入の際と同様に、身体の形状を測定する習慣を一般化させる効果がある。
【００１３】
上記した身体背面・側面形状測定定規により、被測定者の身体の背面及び後頭部の傾斜角、腰部の深さ、首部の深さ及び肩口から側頭部までの距離を測定すれば、その測定結果により被測定者の身体の体型に適合した寝具を選択することが容易となり、被測定者にである顧客に満足のいく寝具を販売することが可能となる。
【考案を実施するための最良の形態】
【００１４】
以下に、本考案の好適な実施例を図面に基づいて詳細に説明する。
【実施例１】
【００１５】
図１〜図３は、本考案の実施例に係る身体背面・側面形状測定定規を示し、図１は身体背面・側面形状測定定規の分解斜視図であり、図２は身体背面・側面形状測定定規の斜視図であり、図３は身体背面・側面形状測定定規の模式側面図である。
【００１６】
図１〜図３において、Ａは本実施例に係る身体背面・側面形状測定定規を示し、該身体背面・側面形状測定定規Ａは、ベースプレート１０と臀部位置決めプレート２０と肩部位置決めプレート３０と頭部測定プレート４０と深度測定器５０とを備えるものである。
【００１７】
ベースプレート１０は、板状体から構成され、後述する臀部位置決めプレート２０と肩部位置決めプレート３０と深度測定器５０とを取り付けるための縦方向の直線状部１１を有している。ベースプレート１０の上半部の位置には、垂下式指標１２が設けられ、該垂下式指標１２の下方に垂下式指標１２により指し示される臀部−肩甲骨部傾斜角測定用目盛り１３が表示されており、垂下式指標１２は常に垂直方向に垂下しているので、ベースプレート１０が傾斜すると、垂下式指標１２が、図３に示す矢符ａで示すように左右に振れて、ベースプレート１０の傾斜に応じた臀部−肩甲骨部傾斜角測定用目盛り１３を指し示すので、この指し示された臀部−肩甲骨部傾斜角測定用目盛り１３を読めば、どの程度傾斜しているかを測定することができる。該ベースプレート１０の上半部に形成された縦長穴１４は身体背面・側面形状測定定規Ａを把持するためのものである。なお、本実施例のベースプレート１０は、二山タイプの形状をなしているが、一山タイプの弓型に形成してもよい。また、二山タイプに形成し、そのくびれ部が曲がるように中折れタイプに形成し、腰が曲がった高齢者の測定に適するように変形してもよい。
【００１８】
臀部位置決めプレート２０は、横長プレートの中央部にベースプレート１０の厚みよりやや狭い嵌合溝２１を形成してなるものであり、図２に示すように、このプレート２０を水平方向に立てた状態において、ベースプレート１０の直線状部１１に対してプレート２０の嵌合溝２１を嵌め込んで、ベースプレート１０の直線状部１１を挟着するように取り付けたものである。したがって、臀部位置決めプレート２０は、僅かの力でベースプレート１０の直線状部１１から取り外すことが可能であり、また、僅かの力でベースプレート１０の直線状部１１に沿って上下に移動することが可能である。
【００１９】
肩部位置決めプレート３０も、臀部位置決めプレート２０と同様の構成であって、横長プレートの中央部にベースプレート１０の厚みよりやや狭い嵌合溝３１を形成してなるものであり、図２に示すように、このプレート３０を水平方向に立てた状態において、ベースプレート１０の直線状部１１に対してプレート３０の嵌合溝３１を嵌め込んで、ベースプレート１０の直線状部１１を挟着するように取り付けたものである。したがって、肩部位置決めプレート３０は、僅かの力でベースプレート１０の直線状部１１から取り外すことが可能であり、また、僅かの力でベースプレート１０の直線状部１１に沿って下に移動することが可能である。
【００２０】
頭部測定プレート４０は、ベースプレート１０の直線状部１１の上部から上方に傾動可能に取り付けて構成したものである。すなわち、頭部測定プレート４０の下部はベースプレート１０を挟み込むことができる間隙４１が形成されており、図２に示すように、この間隙４１にベースプレート１０を挿入して軸４２により僅かな力にて回転するように構成されている。なお、間隙４１は頭部測定プレート４０の重さを軽量化するために上部にまで形成されている。そして、頭部測定プレート４０には、その下端に固定式指標４３が設けられており、該固定式指標４３により指し示される頭部測定用目盛り４４がベースプレート１０に表示されている。したがって、ベースプレート１０に対して、図３に示す矢符ｂで示すように、頭部測定プレート４０が傾斜すると、固定式指標４３が頭部測定プレート４０の傾斜に応じた頭部測定用目盛り４４を指し示すので、この指し示された頭部測定用目盛り４４を読めば、どの程度傾斜しているかを測定することができる。
【００２１】
深度測定器５０は、ベースプレート１０の直線状部１１に着脱及び移動可能に取り付けられた固定部材５１と、先端５２を基点として目盛りが表示されている物差し５３とから構成される。固定部材５１は、ベースプレート１０の厚みよりやや狭い嵌合溝５４を形成してなる横長プレート状のものであり、図２に示すように、この固定部材５１の嵌合溝５４をベースプレート１０の直線状部１１に嵌め込んで、ベースプレート１０の直線状部１１を挟着するように取り付けるようになっている。また、この固定部材５１には、物差し５３が貫通するガイド孔５５が形成されていて、物差し５３を差し込むことにより深度測定器５０が構成される。この深度測定器５０は、物差し５３が、図３に示す矢符ｃで示すように、進退可能になっており、その先端５２が身体の腰部に到達したときの目盛りを読めば身体の腰部がどの程度の深さであるかを測定することができる。なお、深度測定器における物差しの取付構造は、この構成にが切られるものではなく、磁石等により着脱自在に取り付けるようにしてもよい。
【００２２】
以上のように本実施例における身体背面・側面形状測定定規Ａを構成したので、ベースプレート１０に設けた垂下式指標１２により指し示される臀部−肩甲骨部傾斜角測定用目盛り１３を読み取れば、身体の背面における臀部頂点と肩甲骨部頂点とがなす傾斜角が測定できる。また、頭部測定プレート４０に設けた固定式指標４３により指し示される頭部測定用目盛り４４を読み取れば、首の付け根（第７頸椎）と後頭部頂点とがなす傾斜角が測定できる。
【００２３】
また、身体背面・側面形状測定定規Ａのベースプレート１０に設けた水平方向に進退する深度測定器５０は、臀部頂点と肩甲骨部頂点とを結んだ直線から腰部の深さを測定することができる。
【００２４】
「仮想実験例」
上記の実施例における身体背面・側面形状測定定規Ａを使用して測定した場合の仮想実験例を図４に示す。
【００２５】
図４（ａ）は、理想的な体型の被測定者の例である。すなわち、身体背面・側面形状測定定規Ａにおけるベースプレート１０の直線状部１１が垂直であり、頭部測定プレート４０がやや前傾していることを示している。このことから、被測定者は、臀部から肩甲骨部まで垂直姿勢であり、この垂直姿勢の状態から後頭部が前傾姿勢の状態に変化していることが測定される。この場合には、被測定者は、例えば敷き布団及び枕について標準的なものが使用できることが理解できる。
【００２６】
図４（ｂ）は、背中が出ている体型の被測定者の例である。すなわち、身体背面・側面形状測定定規Ａにおけるベースプレート１０の直線状部１１が後に傾斜し、頭部測定プレート４０がかなり前傾していることを示している。このことから、被測定者は、肩甲骨が臀部より後方位置にあり、この後方に傾斜した姿勢の状態から後頭部が前傾姿勢の状態に変化しているので、後頭部が極端な前傾姿勢であることが測定される。この場合には、例えば背中部の方が若干沈む敷き布団を使用し、枕はやや高めのものを使用するのが適切であると理解できる。
【００２７】
図４（ｃ）は、臀部が出ている体型の被測定者の例である。すなわち、身体背面・側面形状測定定規Ａにおけるベースプレート１０の直線状部１１が前に傾斜し、頭部測定プレート４０が僅かに前傾していることを示している。このことから、被測定者は、肩甲骨が臀部より前方位置にあり、この前方に傾斜した姿勢の状態から後頭部が前傾姿勢の状態に変化しているので、後頭部が僅かな前傾姿勢がであることが測定される。この場合には、例えば背中部の方が若干浮く敷き布団を使用し、枕は低めのものを使用するのが適切であると理解できる。
【００２８】
図４（ｄ）は、背中と臀部が出ており、腰部が深い体型の被測定者の例である。すなわち、身体背面・側面形状測定定規Ａにおけるベースプレート１０の直線状部１１が垂直であり、頭部測定プレート４０がかなり前傾していることを示し、深度測定器５０により腰部の深度が深いことを示している。このことから、被測定者は、臀部から肩甲骨まで垂直姿勢であり、この垂直姿勢の状態から後頭部がかなり前方に傾斜した姿勢の状態に変化しているので、後頭部が極端な前傾姿勢であることが測定される。この場合には、例えば腰部が若干浮く敷き布団を使用し、枕は高めのものを使用するのが適切であると理解できる。
【００２９】
図５は身体背面・側面形状測定定規により、被測定者の肩口から首部の深さを測定している状態を示す模式説明図であり、図６は身体背面・側面形状測定定規により、被測定者の肩口から側頭部までの距離を測定している状態を示す模式説明図である。
【００３０】
図５に示すように、ベースプレート１０の肩部位置決めプレート３０を被測定者の肩口にあてがい、頭部測定プレート４０を被測定者の首部の位置で直角に折り曲げて、距離測定目盛り４５を読むと、被測定者の肩口から首部の深さａが測定できる。また、図６に示すように、ベースプレート１０の肩部位置決めプレート３０を被測定者の肩口にあてがい、頭部測定プレート４０を被測定者の側頭部の位置で直角に折り曲げて、距離測定目盛り４５を読むと、被測定者の肩口から側頭部までの距離ｂが測定できる。
【００３１】
この肩口から首部の深さの測定結果を利用すれば、首部に相当する位置の枕の適切な高さが判断できる。また、肩口から側頭部までの距離の測定結果を利用すれば、枕の両側部の適切な高さが判断できる。
【００３２】
以上のように、本実施例に係る身体背面・側面形状測定定規Ａは、被測定者の背面形状の傾斜角、腰部の深さ、肩口から首の深さ、及び、肩口から側頭部までの距離を測定できるので、適切な敷き布団やベッドマットなどの敷き寝具や枕を選択するのに役立つものである。
【００３３】
また、本考案に係る適合寝具の販売方法は、上記した身体背面・側面形状測定定規により、被測定者の身体の背面及び側面の体型を測定し、その測定結果に基づいて被測定者の身体の背面及び側面の体型に適合する寝具を選択して販売することができる。
【産業上の利用可能性】
【００３４】
本考案に係る身体背面・側面形状測定定規は、ベッドマット、敷き布団などの敷き寝具や枕を選択する場合に利用できるほか、体型状態を認識して日常の姿勢を整えるのに利用できる。
【図面の簡単な説明】
【００３５】
【図１】身体背面・側面形状測定定規の分解斜視図である。
【図２】身体背面・側面形状測定定規の斜視図である。
【図３】身体背面・側面形状測定定規の模式側面図である。
【図４】仮想実験例を示す説明図である。
【図５】身体背面・側面形状測定定規により、被測定者の肩口から首部の深さを測定している状態を示す模式説明図である。
【図６】身体背面・側面形状測定定規により、被測定者の肩口から側頭部までの距離を測定している状態を示す模式説明図である。
【符号の説明】
【００３６】
Ａ・・・身体背面・側面形状測定定規
１０・・ベースプレート
１１・・直線状部
１２・・垂下式指標
１３・・臀部−肩甲骨部傾斜角測定用目盛り
１４・・把持用縦長穴
２０・・臀部位置決めプレート
２１・・嵌合溝
３０・・肩部位置決めプレート
３１・・嵌合溝
４０・・頭部測定プレート
４１・・間隙
４２・・軸
４３・・固定式指標
４４・・頭部測定用目盛り
４５・・距離測定目盛り
５０・・深度測定器
５１・・固定部材
５２・・先端
５３・・物差し
５４・・嵌合溝
５５・・ガイド孔
【図１】
0003109050.tif 000003
【図２】
0003109050.tif 000004
【図３】
0003109050.tif 000005
【図４】
0003109050.tif 000006
【図５】
0003109050.tif 000007
【図６】
0003109050.tif 000008
【手続補正書】
【提出日】平成16年12月21日(2004.12.21)
【手続補正１】
【補正対象書類名】実用新案登録請求の範囲
【補正対象項目名】全文
【補正方法】変更
【補正の内容】
【実用新案登録請求の範囲】
【請求項１】
ベースプレートと臀部位置決めプレートと肩部位置決めプレートと頭部測定プレートとを備え、
ベースプレートは、縦方向の直線状部を有し、適宜位置に垂下式指標が設けられ、該垂下式指標の下方に垂下式指標により指し示される臀部−肩甲骨部傾斜角測定用目盛りが表示されてなり、
臀部位置決めプレート及び肩部位置決めプレートは、ベースプレートの直線状部に対して移動可能に取り付けられ、
頭部測定プレートは、ベースプレートの直線状部の上部から上方に傾動可能に取り付けられ、下端に固定式指標が設けられ、該固定式指標により指し示される頭部測定用目盛りがベースプレートに表示されてなる、
ことを特徴とする身体背面・側面形状測定定規。
【請求項２】
ベースプレートに、水平方向に進退する深度測定器を設けたことを特徴とする請求項１に記載の身体背面・側面形状測定定規。
【請求項３】
頭部測定プレートに、ベースプレートの交差点を基点とする距離測定目盛りを設けたことを特徴とする請求項１又は２に記載の身体背面・側面形状測定定規。